【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
移植動力をファスナーに適用するためのアセンブリであって、該アセンブリは、該移植動力を受けての組織における移植のためにサイズ決めされかつ構成され、該アセンブリは、以下：
道具本体、
該道具本体によって運ばれ、そして該移植動力を適用するように作動可能である駆動部材であって、該駆動部材を作動するための駆動アクチュエータを備える、駆動部材、および
該駆動部材における機構であって、該機構は、該第一状態において、該ファスナーと該駆動部材とを繋いで該駆動部材から該ファスナーへの移植動力を伝えるように作動可能であり、該機構は、該第二状態において、該駆動部材から該ファスナーを解放するように作動可能であり、該機構は、該機構を該第二状態にするために該駆動アクチュエータとは無関係に作動可能な第二のアクチュエータを備える、機構
を備える、アセンブリ。
【請求項２】
前記第二のアクチュエータもまた前記機構を前記第一状態に配置する、請求項１に記載のアセンブリ。
【請求項３】
前記機構が、前記第二のアクチュエータの非作動時に前記第一状態に前記機構を配置するための手段を備える、請求項１に記載のアセンブリ。
【請求項４】
前記機構が、前記駆動部材上に支持要素を備え、該支持要素が前記第二のアクチュエータの非作動に前記第一状態をとるようにサイズ決めされかつ構成される、請求項１に記載のアセンブリ。
【請求項５】
前記駆動部材がまた、除去動力を適用して前記ファスナーを組織から取り除き、
そして前記機構がまた、前記第一状態において、前記ファスナーと前記駆動部材とを繋いで、該駆動部材から該ファスナーに除去動力を伝えるように作動可能である、請求項１に記載のアセンブリ。
【請求項６】
前記駆動部材が１方向に回転されて前記移植動力を適用し、そして逆方向に回転して除去動力を適用する、請求項５に記載のアセンブリ。
【請求項７】
前記道具本体がチューブを備える、請求項１に記載のアセンブリ。
【請求項８】
請求項１に記載のアセンブリであって、前記機構は前記駆動部材上に支持要素を備え、該支持要素はレセプタクルを規定し、該レセプタクルは前記第一状態において、ファスナーの少なくとも一部を保持するために閉じられ、そして前記第二状態において該ファスナーを解放するために開かれ、そして前記第二のアクチュエータは該レセプタクルを開く、アセンブリ。
【請求項９】
前記第二のアクチュエータもまた前記レセプタクルを閉じる、請求項８に記載のアセンブリ。
【請求項１０】
前記支持要素が、通常は前記レセプタクルを閉じるバイアスを備え、そして前記第二のアクチュエータが該バイアスに勝って該レセプタクルを開ける、請求項８に記載のアセンブリ。
【請求項１１】
前記支持要素が、通常は前記レセプタクルを閉じるバイアスを備え、そして前記第二アクチュエータが該バイアスに勝って該レセプタクルから前記ファスナーを取り出す、請求項８に記載のアセンブリ。
【請求項１２】
前記支持要素が、前記レセプタクルと関係する移動止めを備え、該移動止めは、前記第一状態において、該レセプタクル内に突出するよう進められて該レセプタクルを閉じ、そして前記第二状態において、該移動止めは該レセプタクルから取り外されて該レセプタクルを開け、そして
前記第二アクチュエータが該移動止めを取り外して該レセプタクルを開ける、請求項８に記載のアセンブリ。
【請求項１３】
前記第二のアクチュエータもまた前記移動止めを進めて前記レセプタクルを閉じる、請求項１２に記載のアセンブリ。
【請求項１４】
請求項８に記載のアセンブリであって、
前記支持要素は、前記レセプタクルと関係する移動止めを備え、該移動止めは、前記第一状態において、該レセプタクル内へと突出するよう進められて、該レセプタクルを閉じ、そして該移動止めは、前記第二状態において、該レセプタクルから取り外されて該レセプタクルを開け、該支持要素は、通常は該移動止めを進めるバイアスを備え、そして
該第二のアクチュエータは該移動止めを越えて該ファスナーを取り外すことによって、該バイアスに勝る、アセンブリ。
【請求項１５】
前記支持要素が、前記レセプタクルを規定する顎アセンブリを備える、請求項８に記載のアセンブリ。
【請求項１６】
前記支持要素が、前記レセプタクルを規定する支柱アセンブリを備える、請求項８に記載のアセンブリ。
【請求項１７】
請求項１に記載のアセンブリであって、
前記機構は前記駆動部材上に支持要素を備え、該駆動部材は把持アセンブリを規定し、前記第一状態において、該把持部材は進められて前記ファスナーの少なくとも一部とを係合し、そして前記第二状態において、該把持部材は取り外されて該ファスナーを自由にし、そして
前記第二のアクチュエータは該把持アセンブリを取り外して該ファスナーを自由にする、アセンブリ。
【請求項１８】
前記支持要素が、通常は前記把持アセンブリを前進させるバイアスを備え、そして
前記第二のアクチュエータが該バイアスに勝って該把持アセンブリを取り外す、請求項１７に記載のアセンブリ。
【請求項１９】
請求項１に記載のアセンブリであって、前記ファスナーに付加されるようにサイズ決めされかつ構成される継ぎ手をさらに備え、そして前記機構が前記第一状態にある場合に該継ぎ手を係合するように、そして前記第二状態にある場合に該継ぎ手を自由にするようにサイズ決めされかつ構成される、アセンブリ。
【請求項２０】
前記継ぎ手が、前記ファスナーの近位端にあるようにサイズ決めされかつ構成されるブレースを備える、請求項１９に記載のアセンブリ。
【請求項２１】
前記継ぎ手が、前記ファスナーの近位端にあるようにサイズ決めされかつ構成されるキャップを備える、請求項１９に記載のアセンブリ。
【請求項２２】
前記ファスナーを前記道具本体に係留する要素をさらに備え、該要素がもろい部分を備える、請求項１に記載のアセンブリ。
【請求項２３】
前記駆動部材が回転されて前記移植動力を適用する、請求項１に記載のアセンブリ。
【請求項２４】
前記駆動部材と繋がれて指定された移植動力を適用するように該駆動部材を作動するコントローラをさらに備える、請求項１に記載のアセンブリ。
【請求項２５】
組織においてファスナーを移植するためのシステムであって、該システムは、以下：
組織における、移植動力を受けての移植のためにサイズ決めされかつ構成されるファスナーであって、該ファスナーにより運ばれる形成加工された継ぎ手を備える、ファスナー、および
ファスナー留め道具であって、該移植動力を適用するように作動可能な駆動部材を備え、該駆動部材が該駆動部材を作動させるための駆動アクチュエータを備え、該駆動部材における機構が第一状態において、該形成加工された継ぎ手と係合しそして該ファスナーと該駆動部材とを繋いで、該駆動部材から該ファスナーへ移植動力を伝えるように作動可能であり、該機構が第二状態において、該形成加工された継ぎ手を解きそして該駆動部材から該ファスナーを解放するよう作動可能であり、該機構が、該機構を該第二状態に配置するように、該駆動アクチュエータとは無関係に作動可能である第二のアクチュエータを備える、ファスナー留め道具
を備える、システム。
【請求項２６】
請求項２５に記載のシステムであって、
前記駆動部材はまた、除去動力を適用して組織から前記ファスナーを取り外すように作動可能であり、そして
前記機構はまた、前記第一状態において、前記形成加工された継ぎ手と係合しそして該ファスナーと該駆動部材とを繋いで、該駆動部材から該ファスナーへと該除去動力を伝えるように作動可能である、システム。
【請求項２７】
前記駆動部材が一方向に回転されて前記移植動力を適用し、そして反対方向に回転されて前記除去動力を適用する、請求項２６に記載のシステム。
【請求項２８】
前記ファスナーを前記ファスナー留め道具に係留する要素をさらに備え、該要素がもろい部分を備える、請求項２５に記載のシステム。
【請求項２９】
前記ファスナー留め道具が、前記駆動部材を運ぶチューブを備える、請求項２５に記載のシステム。
【請求項３０】
前記駆動部材が回転されて前記移植動力を適用する、請求項２５に記載のシステム。
【請求項３１】
前記駆動部材と繋がれて指定された移植動力を適用するように該駆動部材を作動するコントローラをさらに備える、請求項２５に記載のシステム。
【請求項３２】
移植動力をファスナーに適用するためのアセンブリであって、該アセンブリは、指定された状態に応じて適用される、移植動力を受けての組織における移植のためにサイズ決めされかつ構成され、該アセンブリは、
道具本体、
該道具本体によって運ばれ、そして該移植動力を適用するように作動可能である、駆動部材、
該駆動部材における機構であって、該機構は、該ファスナーと該駆動部材とを繋いで該駆動部材から該ファスナーへ移植動力を伝える、機構、
該駆動部材と繋がれるコントローラであって、該コントローラは、該駆動部材を作動させて、指定された状態に満たない状態の下で該移植動力を適用する初期フェーズ、該初期フェーズの終点で始まり該駆動部材の作動を妨害する中休止フェーズ、該指定された状態を達成するために初期フェーズの条件を補完する条件下で、該駆動部材を作動させる、最終フェーズを含み、該コントローラは該初期フェーズ後に指定されたコマンドを要求して該中休止フェーズから該最終フェーズへと進行させる、コントローラ、
を備える、アセンブリ。
【請求項３３】
前記指定されたコマンドが、少なくとも部分的に、オペレーターからの入力に基づく、請求項３２に記載のアセンブリ。
【請求項３４】
前記指定されたコマンドが、少なくとも部分的に、感知した作動状態を反映する入力に基づく、請求項３２に記載のアセンブリ。
【請求項３５】
請求項３２に記載のアセンブリであって、
前記駆動部材がまた、除去動力を適用して組織から前記ファスナーを取り除くように作動可能であり、そして
前記コントローラが、該駆動部材を作動させて該除去動力を適用する除去フェーズを包含し、該コントローラが、前記初期フェーズ後に、別々に指定されたコマンドを要求して前記中休止フェーズから該除去フェーズに進行させる、アセンブリ。
【請求項３６】
前記駆動部材が一方向に回転されて前記移植動力を適用し、そして反対方向に回転されて前記除去動力を適用する、請求項３５に記載のアセンブリ。
【請求項３７】
前記道具本体に前記ファスナーを係留する要素をさらに備え、該要素がもろい部分を備える、請求項３２に記載のアセンブリ。
【請求項３８】
前記道具本体が、前記駆動部材を運ぶチューブを備える、請求項３２に記載のアセンブリ。
【請求項３９】
前記駆動部材が回転されて前記移植動力を適用する、請求項３２に記載のアセンブリ。
【請求項４０】
ファスナーに移植動力を適用するためのアセンブリであって、該アセンブリは移植動力を受けての組織における移植のためにサイズ決めされかつ構成され、該アセンブリは、以下：
道具本体、
該道具本体によって運ばれ、そして該移植動力を提供するように作動可能である、駆動部材、および
該道具本体に該ファスナーを係留する要素であって、もろい部分を備える、要素
を備える、アセンブリ。
【請求項４１】
前記道具本体が、前記駆動部材を運ぶチューブを備える、請求項４０に記載のアセンブリ。
【請求項４２】
前記駆動部材と繋がれて指定された移植動力を適用するように該駆動部材を作動するコントローラをさらに備える、請求項４０に記載のアセンブリ。